【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
割開き可能なリッドを有するエアバッグ組込パネルに組込まれるエアバッグ装置であって、
前記リッド部の内側に配設され、ガスを発生可能なインフレータと、
前記リッド部と前記インフレータとの間に配設可能な状態に折畳まれ、前記インフレータから導入されるガスによって袋状に膨張展開可能なエアバッグと、
内側に破断部が形成されると共に、外周部に少なくとも４つのインフレータ取付用シート部が設けられたシート状部材によって形成され、折畳まれた前記エアバッグを覆う袋形態を保つように、前記少なくとも４つのインフレータ取付用シート部が前記インフレータに取付けられている、アウターバッグと、
を備えるエアバッグ装置。
【請求項２】
請求項１記載のエアバッグ装置であって、
前記シート状部材は、方形状のシート本体部と、前記シート本体部の周囲４辺それぞれの中央部に設けられた４つの前記インフレータ取付用シート部とを含み、前記シート本体部が折畳まれた前記エアバッグを覆う袋形態を保つように、前記４つのインフレータ取付用シート部が前記インフレータの周囲４方に取付けられている、エアバッグ装置。
【請求項３】
請求項２記載のエアバッグ装置であって、
前記シート本体部は、方形状の第１シート部分と、前記第１シート部分の周囲４辺より延出する４つの方形状の第２シート部分と、隣接する前記第２シート部分の間に設けられた４つの第３シート部分とを含み、
前記４つのインフレータ取付用シート部のそれぞれは、前記４つの第２シート部分の外側辺より外方に延出するように設けられ、
前記４つの前記第２シート部分が前記第１シート部分から立上がって前記インフレータと前記リッド部との間で折畳まれた前記エアバッグ及び膨張展開中の前記エアバッグを囲うことが可能な周壁部を形成するように、前記４つのインフレータ取付用シート部が前記インフレータの周囲４方に取付けられている、エアバッグ装置。
【請求項４】
請求項３記載のエアバッグ装置であって、
前記第１シート部分に前記破断部が形成されている、エアバッグ装置。
【請求項５】
請求項３又は請求項４記載のエアバッグ装置であって、
前記シート本体部は、前記第１シート部分と、前記４つの前記第２シート部分とが、一方側が方形状に開口する直方体箱状を形成するように、折られている、エアバッグ装置。
【請求項６】
請求項１記載のエアバッグ装置であって、
前記シート状部材は、方形状のシート本体部を含むと共に、前記少なくとも４つのインフレータ取付用シート部として、前記シート状部材の対向する一対の辺のそれぞれの中央部に設けられた２つのインフレータ取付用中央シート部と、前記一対の辺のそれぞれの両端側に設けられた４つのインフレータ取付用端部シート部とを含み、
前記シート本体部が折畳まれた前記エアバッグを覆う袋形態を保つように、前記一対の辺のそれぞれのインフレータ取付用中央シート部と、前記一対の辺の一端側の２つの前記インフレータ取付用端部シート部を重ね合せた部分と、前記一対の辺の他端側の２つの前記インフレータ取付用端部シート部を重ね合せた部分とが、前記インフレータの周囲４方に取付けられている、エアバッグ装置。
【請求項７】
請求項６記載のエアバッグ装置であって、
前記シート本体部は、方形状の第１シート部分と、前記第１シート部分の周囲４辺より延出する４つの方形状の第２シート部分と、前記各第２シート部分の間に設けられた４つの第３シート部分とを含み、
前記２つのインフレータ取付用中央シート部は、前記シート本体部の対向する２つの辺のうち前記第２シート部分に対応する位置に設けられ、
前記４つのインフレータ取付用端部シート部は、前記シート本体部の対向する前記２つの辺のうち前記第３シート部分に対応する位置に設けられ、
前記４つの前記第２シート部分が前記第１シート部分から立上がって前記インフレータと前記リッド部との間で折畳まれた前記エアバッグ及び膨張展開中の前記エアバッグを囲うことが可能な周壁部を形成するように、前記一対の辺のそれぞれのインフレータ取付用中央シート部と、前記一対の辺の一端側の２つの前記インフレータ取付用端部シート部を重ね合せた部分と、前記一対の辺の他端側の２つの前記インフレータ取付用端部シート部を重ね合せた部分とが、前記インフレータの周囲４方に取付けられている、エアバッグ装置。
【請求項８】
請求項７記載のエアバッグ装置であって、
前記第３シート部分が、前記第２シート部分の外方を覆った状態で、前記各インフレータ取付用端部シート部が前記インフレータに取付けられている、エアバッグ装置。
【請求項９】
請求項７又は８記載のエアバッグ装置であって、
前記第１シート部分に前記破断部が形成されている、エアバッグ装置。
【請求項１０】
請求項７〜請求項９のいずれか１つに記載のエアバッグ装置であって、
前記シート本体部は、前記第１シート部分と、前記４つの前記第２シート部分とが、一方側が方形状に開口する直方体箱状を形成するように、折られている、エアバッグ装置。
【手続補正２】
【補正対象書類名】明細書
【補正対象項目名】０００７
【補正方法】変更
【補正の内容】
【０００７】
上記課題を解決するため、第１の態様は、割開き可能なリッドを有するエアバッグ組込パネルに組込まれるエアバッグ装置であって、前記リッド部の内側に配設され、ガスを発生可能なインフレータと、前記リッド部と前記インフレータとの間に配設可能な状態に折畳まれ、前記インフレータから導入されるガスによって袋状に膨張展開可能なエアバッグと、内側に破断部が形成されると共に、外周部に少なくとも４つのインフレータ取付用シート部が設けられたシート状部材によって形成され、折畳まれた前記エアバッグを覆う袋形態を保つように、前記少なくとも４つのインフレータ取付用シート部が前記インフレータに取付けられている、アウターバッグと、を備える。
【手続補正３】
【補正対象書類名】明細書
【補正対象項目名】０００９
【補正方法】変更
【補正の内容】
【０００９】
第３の態様は、第２の態様に係るエアバッグ装置であって、前記シート本体部は、方形状の第１シート部分と、前記第１シート部分の周囲４辺より延出する４つの方形状の第２シート部分と、隣接する前記第２シート部分の間に設けられた４つの第３シート部分とを含み、前記４つのインフレータ取付用シート部のそれぞれは、前記４つの第２シート部分の外側辺より外方に延出するように設けられ、前記４つの前記第２シート部分が前記第１シート部分から立上がって前記インフレータと前記リッド部との間で折畳まれた前記エアバッグ及び膨張展開中の前記エアバッグを囲うことが可能な周壁部を形成するように、前記４つのインフレータ取付用シート部が前記インフレータの周囲４方に取付けられている。
【手続補正４】
【補正対象書類名】明細書
【補正対象項目名】００３２
【補正方法】変更
【補正の内容】
【００３２】
また、シート状部材の外周部には少なくとも４つのインフレータ取付用シート部もしくはインフレータ取付用端部シート部が設けられている。そして、シート状部材がインフレータの反対側から折畳まれたエアバッグを覆う袋形態を保つように、少なくとも４つのインフレータ取付用端部シート部がインフレータ周りに（好ましくはインフレータ周りで均等間隔で）取付けられている。少なくとも４つのインフレータ取付用端部シート部を設けている理由は、後述するように、本アウターバッグは、エアバッグの膨張展開時に、エアバッグがラジアル方向に膨張展開することを抑制する必要があるため、少なくとも４箇所程度で、インフレータに取付けられていることが好ましいからである。
【手続補正５】
【補正対象書類名】明細書
【補正対象項目名】００３５
【補正方法】変更
【補正の内容】
【００３５】
インフレータ取付用シート部もしくはインフレータ取付用端部シート部の配設例としては、例えば、少なくとも４つのインフレータ取付用シート部をシート状部材の周囲４方に設ける例と、少なくとも４つのインフレータ取付用端部シート部をシート状部材の対向する２つの部分に設ける例とが考えられる。
【手続補正６】
【補正対象書類名】明細書
【補正対象項目名】００３７
【補正方法】変更
【補正の内容】
【００３７】
上記エアバッグ装置によると、アウターバッグは、内部に破断部が形成されると共に、外周部に少なくとも４つのインフレータ取付用シート部もしくはインフレータ取付用端部シート部が設けられたシート状部材によって形成され、折畳まれた前記エアバッグを、前記インフレータの反対側から覆う袋形態を保つように、前記少なくとも４つのインフレータ取付用シート部が前記インフレータに取付けられているため、エアバッグを覆うアウターバッグを製造する際に、縫合箇所をなるべく少なくすることができる。
【手続補正７】
【補正対象書類名】明細書
【補正対象項目名】００４０
【補正方法】変更
【補正の内容】
【００４０】
｛第１実施形態｝
以下、第１実施形態に係るエアバッグ装置について説明する。第１実施形態では、少なくとも４つのインフレータ取付用シート部をシート状部材の周囲４方に設けた例を説明する。